(57)【要約】【課題】工具を不要にしてワンタッチ操作で簡単に接続でき、施工性の向上を図れるスプリンクラーヘッドの配管への接続構造を提供する。【解決手段】配管６の端部に、スプリンクラーヘッド１の接続筒部３が差し込まれる受口７を設け、この受口７の内周に該受口７の開口端部に向かって窄まり状のテ−パ面１０を形成している。配管６の受口７内にはスプリンクラーヘッド１の接続筒部３の外周面に密接するシールリング９と、テ−パ面１０との当接により縮径作用を受けて接続筒部３の外周面に係合する内径部を有する拡縮弾性変形自在な抜止めリング８とが組み込まれている。【選択図】      図２
2004329286.tif 000002
【特許請求の範囲】
【請求項１】
配管の端部に、接続筒部を有するスプリンクラーヘッドの前記接続筒部が差し込まれる受口を設け、この受口の内周に該受口の開口端部に向かって窄まり状のテ−パ面を形成しており、前記受口内に前記接続筒部の外周面に密接するシールリングと、前記テ−パ面との当接により縮径作用を受けて前記接続筒部の外周面に係合する内径部を有する拡縮弾性変形自在な抜止めリングとが組み込まれていることを特徴とする、スプリンクラーヘッドの配管への接続構造。
【請求項２】
前記抜止めリングの内径部に鋭角の食込み歯が設けられており、前記抜止めリングが前記接続筒部の材質硬度よりも大きい硬度を有する材料で形成されている、請求項１記載のスプリンクラーヘッドの配管への接続構造。
【請求項３】
前記抜止めリングの内径部に鈍角の食込み歯が設けられており、前記接続筒部の外周面に、前記食込み歯が係合する環状凹溝が設けられている、請求項１記載のスプリンクラーヘッドの配管への接続構造。
【請求項４】
前記環状凹溝が、前記接続筒部の長手方向に所定間隔おきに列設されている、請求項３記載のスプリンクラーヘッドの配管への接続構造。
【発明の詳細な説明】
【０００１】
【発明の属する技術分野】
本発明は、スプリンクラー消火設備用のスプリンクラーヘッドを建築物の天井や壁面内の配管に接続する、スプリンクラーヘッドの配管への接続構造に関する。
【０００２】
【従来の技術】
この種のスプリンクラーヘッドの配管への接続構造において、スプリンクラーヘッドはこれの上端に雄ねじを有する接続筒部を有し、この接続筒部の雄ねじを鋼管や可撓管よりなる配管の端部の雌ねじにねじ込むことによりスプリンクラーヘッドが配管に接続されている（例えば、特許文献１参照。）。
【０００３】
【特許文献１】
特開２０００−１４８２２号公報
【０００４】
【発明が解決しようとする課題】
しかるに、スプリンクラーヘッドを配管の端部にねじ込み方式で接続する上記スプリンクラーヘッドの接続構造では、その接続作業に煩わしい手間がかかっていた。すなわち、そのねじ込み方式の接続では、取付金具を用いて、野縁など天井下地材に直接又は補助支持部材を介して配管を強く固定する必要があり、またパイプレンチ等の工具を用いてスプリンクラーヘッドをねじ込む必要があり、これら作業は高所での上向き作業でしかもスプリンクラーヘッドの接続個数が多いため多くの時間と労力を要するのであった。配管が可撓管である場合にはスプリンクラーヘッドのねじ込みより可撓管がねじれる危惧があった。スプリンクラーヘッドのねじ込み時に天井ボードの位置に合わせしながら締め付けるが、このときスプリンクラーヘッドが上下方向に位置ずれを起こしやすいため、熟練工でないと外観的に体裁よい納まり状態に仕上げ難い等の問題点があった。
【０００５】
本発明は、このような問題点を解決するためになされたものであり、その目的とするところは、工具を不要にしてスプリンクラーヘッドを配管にワンタッチ操作で簡単に差込み接続でき、施工性を大幅に改善できるスプリンクラーヘッドの配管への接続構造を提供することにある。
【０００６】
【課題を解決するための手段】
本発明のスプリンクラーヘッドの配管への接続構造は、配管の端部に、接続筒部を有するスプリンクラーヘッドの前記接続筒部が差し込まれる受口を設け、この受口の内周に該受口の開口端部に向かって窄まり状のテ−パ面を形成しており、前記受口内に前記接続筒部の外周面に密接するシールリングと、前記テ−パ面との当接により縮径作用を受けて前記接続筒部の外周面に係合する内径部を有する拡縮弾性変形自在な抜止めリングとが組み込まれていることに特徴を有するものである。
【０００７】
この場合において、前記抜止めリングの内径部には鋭角の食込み歯を設け、前記抜止めリングは前記接続筒部の材質硬度よりも大きい硬度を有する材料で形成することができる。また、前記抜止めリングの内径部には鈍角の食込み歯を設け、前記接続筒部の外周面に、前記食込み歯が係合する環状凹溝を１本又は複数本設けることができる。
【０００８】
【作用】
上記構成のスプリンクラーヘッドの配管への接続構造によれば、配管の端部の受口にスプリンクラーヘッドの接続筒部を差し込むだけのワンタッチ操作で接続できる。
【０００９】
差込み後スプリンクラーヘッドが抜出し方向に移動しようとしても抜止めリングがテ−パ面に当接し縮径作用を受けて該抜止めリングの内径部が接続筒部の外周面に強く係合するため、スプリンクラーヘッドの抜止め機能を発揮できる。また、配管の受口の内周とスプリンクラーヘッドの接続筒部の外周面との間がシールリングによってシールされ、消火水の漏れを防止できる。
【００１０】
スプリンクラーヘッドの接続に際し差込み方式を採用することにより、スプリンクラーヘッドは抜止めリング及びシールリングとの摩擦力に抗して差し込むだけの小さい差込み力で足り、従来のねじ込み方式による接続の場合のごとく配管に負荷を加えることが少ないため、該配管を天井下地材等に強く固定する必要がなくて配管の固定作業も簡略化でき、また、スプリンクラーヘッドは回転させることなく軸方向に真直ぐに差し込むことで足りるため、配管が可撓管である場合にも該可撓管にねじりを加えることなく接続できる。
【００１１】
抜止めリングの内径部に鋭角の食込み歯が設けられ、抜止めリングが接続筒部の材質硬度よりも大きい硬度を有する材料で形成されていると、抜止めリングの内径部が接続筒部の外周面に無段階に確実に食い込み係合されるため、スプリンクラーヘッドの抜出しをより確実に防止できる。
抜止めリングの内径部に鈍角の食込み歯が設けられ、接続筒部の外周面に前記食込み歯が係合する環状凹溝が設けられていると、抜止めリングの内径部が接続筒部の外周面に段階的に確実に係合されるため、これにおいてもスプリンクラーヘッドの抜止め効果が高められる。
【００１２】
【発明の実施の形態】
以下、本発明の好適な実施形態を図面に基づいて説明する。図１は本発明の一実施例を示すスプリンクラーヘッドの配管への接続構造の正面図、図２は図１における接続構造の要部の拡大縦断正面図、図３はスプリンクラーヘッドの接続筒部の一部と抜止めリングの断面図、図４は他例のスプリンクラーヘッドの接続筒部の一部と抜止めリングの断面図である。
【００１３】
図１、図２において、本発明の対象とするスプリンクラーヘッド１はこれの本体２から後方へ接続筒部３を延設している。
【００１４】
同図において、天井ボード５の裏側に設置される配管６は鋼管あるいは可撓管よりなり、この配管６の端部にはスプリンクラーヘッド１の接続筒部３が差し込まれる受口７を設ける。この受口７の開口端部側の内周には受口７の開口端部に向かって窄まり状のテ−パ面１０を形成し、かつ該テーパ面１０の内奥端側に続いて環状突起１２を形成するとともに、該環状突起１２より内奥部に環状凹溝１３を形成している。受口７は配管６の端部に一体に加工すること、あるいは配管６とは別体に形成して配管６の端部に溶接等で一体的に結合することは任意である。
【００１５】
そして、受口７のテーパ面１０の内周には拡縮弾性変形自在な金属製の抜止めリング８が組み込まれる。この抜止めリング８はスプリンクラーヘッド１の接続筒部３の外周面に係合する内径部を有する。この内径部としては、図３に示すごとき鋭角αの食込み歯８ａ、又は図４に示すごとき鈍角βの食込み歯８ａを設ける。この場合、食込み歯８ａが鋭角αに形成される場合は、該食込み歯８ａが接続筒部３の外周面に食込み易いように、抜止めリング８は接続筒部３の材質硬度よりも大きい硬度を有するステンレス等の金属材料で形成する。食込み歯８ａが鈍角βに形成される場合は、接続筒部３の外周面に該食込み歯８ａが係合する環状凹溝４を１本設けるか、又は２本以上を接続筒部３の長手方向に所定間隔置きに列設する。
【００１６】
環状凹溝１３にはゴム製の断面角形状のリングやＯリング等よりなるシールリング９が組み込まれる。このシールリング９はスプリンクラーヘッド１の接続筒部３の外径よりも小さい内径を有する形に形成されている。
【００１７】
しかるときは、スプリンクラーヘッド１を配管６に接続するに際し、スプリンクラーヘッド１の接続筒部３を配管６の受口７内に差し込むと、シールリング９が接続筒部３の外周面に密接して受口７の内周と接続筒部３の外周面との間を気密状にシールするため消火水が漏れるのを防止できる。
【００１８】
また、スプリンクラーヘッド１が差込み後抜出し方向に移動しようとしても抜止めリング８がテ−パ面１０に当接し縮径作用を受けて抜止めリング８の内径部が接続筒部３の外周面に強く食い込み係合するため、スプリンクラーヘッド１が抜き出るのを阻止することができる。
【００１９】
さらに、配管６の受口７に対するスプリンクラーヘッド１の接続筒部３の差込み深さは無段階又は段階的に可変調整できるので、天井ボード５の厚みの大小や天井ボード５の高さの違い等によく対応できる。
【００２０】
なお、上記実施例では、受口７の内部にシールリング９が抜止めリング８及びテーパ面１０より内奥に位置するように組み込まれるが、それとは逆に抜止めリング８及びテーパ面１０がシールリング９より内奥に位置するように組み込むこともできる。
【００２１】
【発明の効果】
本発明によれば、工具を用いずして配管の端部の受口にスプリンクラーヘッドの接続筒部を差し込むだけのワンタッチ操作で簡単に接続でき、施工性に優れるという利点がある。
【図面の簡単な説明】
【図１】本発明の一実施例を示すスプリンクラーヘッドの配管への接続構造の正面図である。
【図２】図１における接続構造の要部の拡大縦断正面図である。
【図３】スプリンクラーヘッドの接続筒部の一部と抜止めリングの断面図である。
【図４】他の実施例のスプリンクラーヘッドの接続筒部の一部と抜止めリングの断面図である。
【符号の説明】
１  スプリンクラーヘッド
３  接続筒部
４  環状凹溝
５  天井ボード
６  配管
７  受口
８  抜止めリング
９  シールリング
１０  テ−パ面
【図１】
2004329286.tif 000003
【図２】
2004329286.tif 000004
【図３】
2004329286.tif 000005
【図４】
2004329286.tif 000006